(57)【要約】【課題】流入通路及び流出通路に最も近い気筒において、それら通路に近い吸気ポートの暖機性が悪化して複数の吸気ポート間で暖機性にばらつきが生じるのを抑制し、エミッション及び燃費等の改善効果が低下するのを抑制する。【解決手段】流出通路８に最も近い一番気筒では、供給通路１５のウォータジャケット５への冷却水の流出位置が流出通路８から遠い吸気ポート２２ｂ側に所定量ａ１だけ偏奇させられる。このため、一番気筒＃１においては供給通路１５からウォータジャケット５内に入った冷却水が流出通路８に近い吸気ポート２２ａ周りに留まり易くなる。また、流入通路７に最も近い七番気筒＃７では、上記流出位置が流入通路７から遠い吸気ポート２２ａ側に所定量ａ７だけ偏奇させられる。このため、七番気筒＃７においては供給通路１５からウォータジャケット５内に入った冷却水が流入通路７に近い吸気ポート２２ｂ周りに留まり易くなる。【選択図】      図１
2005133692.tif 000002
【特許請求の範囲】
【請求項１】
一つの気筒に複数の吸気ポートを備える多気筒エンジンに適用され、エンジン本体を冷却する冷媒が循環する冷却回路に、シリンダヘッドのウォータジャケットに対し冷媒を流入させる流入通路、及び前記ウォータジャケット内の冷媒を流出させる流出通路を設け、前記冷却回路内の冷媒を蓄熱容器に保温して蓄え、この蓄熱容器内の冷媒を各気筒毎に設けられた供給通路を介して前記ウォータジャケットに流入させるエンジンの冷却装置において、
前記流入通路に最も近い気筒では、前記供給通路の前記ウォータジャケット内への冷媒の流出位置を、当該気筒のシリンダボアの中心に対し前記流入通路から離れる方向にずれた位置とし、
前記流出通路に最も近い気筒では、前記供給通路の前記ウォータジャケット内の冷媒の流出位置を、当該気筒のシリンダボアの中心に対し前記流出通路から離れる方向にずれた位置とした
ことを特徴とするエンジンの冷却装置。
【請求項２】
前記流入通路寄りに位置する各気筒のうち、同通路に最も近い気筒よりも前記流出通路寄りの気筒でも、前記供給通路の前記ウォータジャケット内への冷媒の流出位置を、当該気筒のシリンダボアの中心に対し前記流入通路から離れる方向にずれた位置とし、
前記流出通路寄りに位置する各気筒のうち、同通路に最も近い気筒よりも前記流入通路寄りの気筒でも、前記供給通路の前記ウォータジャケット内の冷媒の流出位置を、当該気筒のシリンダボアの中心に対し前記流出通路から離れる方向にずれた位置とした
請求項１記載のエンジンの冷却装置。
【請求項３】
前記流入通路寄りに位置する各気筒のうち、同通路に最も近い気筒よりも前記流出通路寄りの気筒での前記供給通路の流出位置の前記シリンダボアの中心に対するずれ量を、前記流入通路に最も近い気筒での前記供給通路の流出位置の前記シリンダボアの中心に対するずれ量よりも小さくし、
前記流出通路寄りに位置する各気筒のうち、同通路に最も近い気筒よりも前記流入通路寄りの気筒での前記供給通路の流出位置の前記シリンダボアの中心に対するずれ量を、前記流出通路に最も近い気筒での前記供給通路の流出位置の前記シリンダボアの中心に対するずれ量よりも小さくした
請求項２記載のエンジンの冷却装置。
【請求項４】
一つの気筒に二つの吸気ポートを備える多気筒エンジンに適用され、エンジン本体を冷却する冷媒が循環する冷却回路に、シリンダヘッドのウォータジャケットに対し冷媒を流入させる流入通路、及び前記ウォータジャケット内の冷媒を流出させる流出通路を設け、前記冷却回路内の冷媒を蓄熱容器に保温して蓄え、この蓄熱容器内の冷媒を各気筒毎に設けられた供給通路を介して前記ウォータジャケットに流入させるエンジンの冷却装置において、
前記流入通路に最も近い気筒では、前記供給通路の前記ウォータジャケットへの冷媒の流出位置を、前記流入通路から遠い吸気ポート側に偏奇させ、
前記流出通路に最も近い気筒では、前記供給通路の前記ウォータジャケットへの冷媒の流出位置を、前記流出通路から遠い吸気ポート側に偏奇させた
ことを特徴とするエンジンの冷却装置。
【請求項５】
前記流入通路寄りに位置する各気筒のうち、同通路に最も近い気筒よりも前記流出通路寄りの気筒でも、前記供給通路の前記ウォータジャケット内への冷媒の流出位置を、前記流入通路から遠い吸気ポート側に偏奇させ、
前記流出通路寄りに位置する各気筒のうち、同通路に最も近い気筒よりも前記流入通路寄りの気筒でも、前記供給通路の前記ウォータジャケット内の冷媒の流出位置を、前記流出通路から遠い吸気ポート側に偏奇させた
請求項４記載のエンジンの冷却装置。
【請求項６】
前記流入通路寄りに位置する各気筒のうち、同通路に最も近い気筒よりも前記流出通路寄りの気筒での前記供給通路の流出位置の偏奇を、前記流入通路に最も近い気筒での前記供給通路の流出位置の偏奇よりも小さくし、
前記流出通路寄りに位置する各気筒のうち、同通路に最も近い気筒よりも前記流入通路寄りの気筒での前記供給通路の流出位置の偏奇を、前記流出通路に最も近い気筒での前記供給通路の流出位置の偏奇よりも小さくした
請求項５記載のエンジンの冷却装置。
【発明の詳細な説明】
【技術分野】
【０００１】
本発明は、エンジンの冷却装置に関するものである。
【背景技術】
【０００２】
エンジンの冷却装置は、エンジン本体を冷却する冷媒を循環させる冷却回路を備えている。冷却回路にはシリンダヘッドのウォータジャケットに冷媒を流入させる流入通路、及び同ウォータジャケット内の冷媒を流出させる流出通路が設けられ、冷却回路を循環する冷媒が上記ウォータジャケットを通過するようにされる。こうした冷却回路を設けることにより、エンジン本体が高温状態にあるときには、シリンダヘッドなどエンジン本体の熱が冷却通路を循環する冷媒によって奪われ、エンジン本体の温度上昇が抑制される。
【０００３】
冷却回路の流入通路及び流出通路は、例えば上記ウォータジャケットの気筒配列方向一方側及び他方側に設けられる。このように流入通路及び流出通路を設けることで、流入通路からウォータジャケット内に流入した冷媒は、気筒配列方向に流れてシリンダヘッドにおける各気筒に対応する部分から最大限に熱を奪った後、流出通路からウォータジャケット外に流出するようになる。その結果、冷却回路を循環する冷媒によってシリンダヘッドを効率よく冷却することが可能になる。
【０００４】
ところで、冷却回路を循環する冷媒はエンジン本体等からの熱を受けて温度上昇するが、このように暖められた冷媒をエンジンの暖機に利用することが提案されている。例えば、特許文献１では、エンジン本体等との熱交換によって温度上昇した冷媒を蓄熱容器に保温して蓄え、例えば冷えた状態でのエンジン始動に際し蓄熱容器内の冷媒をエンジンの各気筒毎に設けられた供給通路を介してシリンダヘッドのウォータジャケットに流入させるようにしている。そして、各供給通路からウォータジャケット内に流入した冷媒によって、シリンダヘッドが暖められて噴射燃料の気化が促進され、エンジンにおけるエミッション及び燃費等の改善が図られる。
【０００５】
なお、特許文献１に示されるように、一つの気筒に対し複数（具体的には二つ）の吸気ポートが設けられるエンジンにおいて、それら吸気ポートに向けて燃料噴射が行われる場合には、蓄熱容器の冷媒をシリンダヘッドのウォータジャケットに流入させる際、同冷媒によって各吸気ポートの壁面を均等に暖めることが好ましい。これは、一方の吸気ポートの壁面の温度上昇が進まずに各吸気ポート間で暖機性にばらつきが生じると、上記一方の吸気ポートでは壁面に付着した噴射燃料の気化が進みにくくなり、その分だけ蓄熱容器の冷媒をウォータジャケットに流入させることによるエンジンのエミッション及び燃費等の改善効果が低下するためである。
【特許文献１】特開２００３−３８４３公報
【発明の開示】
【発明が解決しようとする課題】
【０００６】
しかしながら、特許文献１に示されるごとく、各気筒の供給通路のウォータジャケット内への冷媒の流出位置を各気筒で同一の位置に設定したのでは、流入通路及び流出通路に近い気筒において、各吸気ポートの壁面を均等に暖めることが困難になる。これは、冷却回路の流入通路及び流出通路がウォータジャケットの気筒配列方向一方側及び他方側に設けられており、各気筒に対応した供給通路からウォータジャケットに冷媒を流入させたとき、流入通路に最も近い気筒では当該冷媒が流入通路から外部に流出し易く、流出通路に最も近い気筒では当該冷媒が流出通路から流出し易くなるためである。
【０００７】
即ち、流入通路に最も近い気筒では、同通路に近い吸気ポート周りに上記冷媒が留まりにくくなることから、流入通路に近い吸気ポートでは同通路から遠い吸気ポートに比べて暖機性が悪化する。また、流出通路に最も近い気筒では、同通路に近い吸気ポート周りに上記冷媒が溜まりにくくなることから、流出通路に近い吸気ポートでは遠い吸気ポートに比べて暖機性が悪化する。このため、流入通路に最も近い気筒、及び流出通路に最も近い気筒では、各吸気ポートの壁面を均等に暖めることが困難になり、各吸気ポート間で暖機性にばらつきが生じることとなる。
【０００８】
以上のように、流入通路及び流出通路に最も近い気筒において、複数の吸気ポート間で暖機性にばらつきが生じるとき、暖機性の悪い吸気ポートではその壁面の温度上昇が進みにくくなって当該壁面に付着した噴射燃料の気が進みにくくなる。そして、その分だけ、蓄熱容器の冷媒をウォータジャケットに流入させることによるエミッション及び燃費等の改善効果が低下することは上述したとおりである。
【０００９】
本発明はこのような実情に鑑みてなされたものであって、その目的は、流入通路及び流出通路に最も近い気筒において、それら通路に近い吸気ポートの暖機性が悪化して複数の吸気ポート間で暖機性にばらつきが生じるのを抑制し、エミッション及び燃費等の改善効果が低下するのを抑制することのできるエンジンの冷却装置を提供することにある。
【課題を解決するための手段】
【００１０】
以下、上記目的を達成するための手段及びその作用効果について記載する。
上記目的を達成するため、請求項１記載の発明では、一つの気筒に複数の吸気ポートを備える多気筒エンジンに適用され、エンジン本体を冷却する冷媒が循環する冷却回路に、シリンダヘッドのウォータジャケットに対し冷媒を流入させる流入通路、及び前記ウォータジャケット内の冷媒を流出させる流出通路を設け、前記冷却回路内の冷媒を蓄熱容器に保温して蓄え、この蓄熱容器内の冷媒を各気筒毎に設けられた供給通路を介して前記ウォータジャケットに流入させるエンジンの冷却装置において、前記流入通路に最も近い気筒では、前記供給通路の前記ウォータジャケット内への冷媒の流出位置を、当該気筒のシリンダボアの中心に対し前記流入通路から離れる方向にずれた位置とし、前記流出通路に最も近い気筒では、前記供給通路の前記ウォータジャケット内の冷媒の流出位置を、当該気筒のシリンダボアの中心に対し前記流出通路から離れる方向にずれた位置とした。
【００１１】
流入通路に最も近い気筒では、当該気筒に対応する供給通路からウォータジャケットに流入する冷媒が流入通路側に流れ易くなることから、当該気筒の複数の吸気ポートのうち流入通路寄りのものほど、吸気ポート周りに上記冷媒が留まりにくくなる。しかし、上記供給通路のウォータジャケットへの冷媒の流出位置がシリンダボアの中心に対し流入通路から離れる方向にずれた位置とされることで、流入通路寄りの吸気ポート周りに冷媒が留まり易くなるため、当該吸気ポートの暖機性が悪化するのを抑制することができる。従って、当該吸気ポートで暖機性が悪化して各吸気ポート間で暖機性にばらつきが生じるのを抑制し、上記吸気ポートでの暖機性悪化分だけ蓄熱容器の冷却水をウォータジャケットに流入させることによるエミッション、及び暖機等の改善効果が低下するのを抑制することができる。また、流出通路に最も近い気筒では、当該気筒に対応する供給通路からウォータジャケットに流入する冷媒が流出通路側に流れ易くなることから、当該気筒の複数の吸気ポートのうち流出通路寄りのものほど、吸気ポート周りに上記冷媒が留まりにくくなる。しかし、上記供給通路のウォータジャケットへの冷媒の流出位置がシリンダボアの中心に対し流出通路から離れる方向にずれた位置とされることで、流出通路寄りの吸気ポート周りに冷媒が留まり易くなるため、当該吸気ポートの暖機性が悪化するのを抑制することができる。従って、当該吸気ポートで暖機性が悪化して各吸気ポート間で暖機性にばらつきが生じるのを抑制し、上記吸気ポートでの暖機性悪化分だけ蓄熱容器の冷却水をウォータジャケットに流入させることによるエミッション、及び暖機等の改善効果が低下するのを抑制することができる。
【００１２】
請求項２記載の発明では、請求項１記載の発明において、前記流入通路寄りに位置する各気筒のうち、同通路に最も近い気筒よりも前記流出通路寄りの気筒でも、前記供給通路の前記ウォータジャケット内への冷媒の流出位置を、当該気筒のシリンダボアの中心に対し前記流入通路から離れる方向にずれた位置とし、前記流出通路寄りに位置する各気筒のうち、同通路に最も近い気筒よりも前記流入通路寄りの気筒でも、前記供給通路の前記ウォータジャケット内の冷媒の流出位置を、当該気筒のシリンダボアの中心に対し前記流出通路から離れる方向にずれた位置とした。
【００１３】
流入通路寄りに位置する各気筒のうち、同通路に最も近い気筒よりも前記流出通路寄りの気筒においても、流入通路に最も近い気筒と同じく複数の吸気ポートのうち流入通路寄りのものほど、当該気筒に対応する供給通路からウォータジャケット内に流入する冷媒が留まりにくくなる。しかし、上記供給通路のウォータジャケットへの冷媒の流出位置がシリンダボアの中心に対し流入通路から離れる方向にずれた位置とされることで、流入通路寄りの吸気ポート周りに冷媒が留まり易くなるため、当該吸気ポートで暖機性が悪化するのを抑制することができる。また、流出通路寄りに位置する各気筒のうち、同通路に最も近い気筒よりも前記流入通路寄りの気筒においても、流出通路に最も近い気筒と同じく複数の吸気ポートのうち流出通路寄りのものほど、当該気筒に対応する供給通路からウォータジャケット内に流入する冷媒が留まりにくくなる。しかし、上記供給通路のウォータジャケットへの冷媒の流出位置がシリンダボアの中心に対し流出通路から離れる方向にずれた位置とされることで、流入通路寄りの吸気ポート周りに冷媒が留まり易くなるため、当該吸気ポートで暖機性が悪化するのを抑制することができる。
【００１４】
請求項３記載の発明では、請求項２記載の発明において、前記流入通路寄りに位置する各気筒のうち、同通路に最も近い気筒よりも前記流出通路寄りの気筒での前記供給通路の流出位置の前記シリンダボアの中心に対するずれ量を、前記流入通路に最も近い気筒での前記供給通路の流出位置の前記シリンダボアの中心に対するずれ量よりも小さくし、前記流出通路寄りに位置する各気筒のうち、同通路に最も近い気筒よりも前記流入通路寄りの気筒での前記供給通路の流出位置の前記シリンダボアの中心に対するずれ量を、前記流出通路に最も近い気筒での前記供給通路の流出位置の前記シリンダボアの中心に対するずれ量よりも小さくした。
【００１５】
流入通路寄りに位置する各気筒のうち、同通路に最も近い気筒よりも流出通路寄りの気筒については、流入通路に最も近い気筒よりはウォータジャケット内に流入した冷媒が流入通路側に流れ難くなる。このことを考慮して、流入通路に最も近い気筒よりも流出通路寄りの気筒については、流入通路に最も近い気筒に比べて、供給通路のウォータジャケットへの冷媒の流出位置のシリンダボアの中心に対するずれ量が小さくされている。従って、流入通路に最も近い気筒よりも流出通路寄りの気筒において、流入通路寄りの吸気ポートでの暖機性悪化を的確に抑制しつつ、上記ずれ量が過度に大きくなるのを抑制することができる。また、流出通路寄りに位置する各気筒のうち、同通路に最も近い気筒よりも流入通路寄りの気筒については、流出通路に最も近い気筒よりはウォータジャケット内に流入した冷媒が流出通路側に流れ難くなる。このことを考慮して、流出通路に最も近い気筒よりも流入通路寄りの気筒については、流出通路に最も近い気筒に比べて、供給通路のウォータジャケットへの冷媒の流出位置のシリンダボアの中心に対するずれ量が小さくされている。従って、流出通路に最も近い気筒よりも流入通路寄りの気筒において、流出通路寄りの吸気ポートでの暖機性悪化を的確に抑制しつつ、上記ずれ量が過度に大きくなるのを抑制することができる。
【００１６】
請求項４記載の発明では、一つの気筒に二つの吸気ポートを備える多気筒エンジンに適用され、エンジン本体を冷却する冷媒が循環する冷却回路に、シリンダヘッドのウォータジャケットに対し冷媒を流入させる流入通路、及び前記ウォータジャケット内の冷媒を流出させる流出通路を設け、前記冷却回路内の冷媒を蓄熱容器に保温して蓄え、この蓄熱容器内の冷媒を各気筒毎に設けられた供給通路を介して前記ウォータジャケットに流入させるエンジンの冷却装置において、前記流入通路に最も近い気筒では、前記供給通路の前記ウォータジャケットへの冷媒の流出位置を、前記流入通路から遠い吸気ポート側に偏奇させ、前記流出通路に最も近い気筒では、前記供給通路の前記ウォータジャケットへの冷媒の流出位置を、前記流出通路から遠い吸気ポート側に偏奇させた。
【００１７】
流入通路に最も近い気筒では、当該気筒に対応する供給通路からウォータジャケットに流入する冷媒が流入通路側に流れ易くなることから、当該気筒における流入通路に近い吸気ポートについては、流入通路から遠い吸気ポートに比べてポート周りに上記冷媒が留まりにくくなる。しかし、上記供給通路のウォータジャケットへの冷媒の流出位置を流入通路から遠い吸気ポート側に偏奇させることで、流入通路に近い吸気ポート周りに冷媒が留まり易くなるため、当該吸気ポートの暖機性が悪化するのを抑制することができる。従って、当該吸気ポートで暖機性が悪化して二つの吸気ポート間で暖機性にばらつきが生じるのを抑制し、上記吸気ポートでの暖機性悪化分だけ蓄熱容器の冷却水をウォータジャケットに流入させることによるエミッション、及び暖機等の改善効果が低下するのを抑制することができる。また、流出通路に最も近い気筒では、当該気筒に対応する供給通路からウォータジャケットに流入する冷媒が流出通路側に流れ易くなることから、当該気筒における流出通路に近い吸気ポートについては、流出通路から遠い吸気ポートに比べて吸気ポート周りに上記冷媒が留まりにくくなる。しかし、上記供給通路のウォータジャケットへの冷媒の流出位置を流出通路から遠い吸気ポート側に偏奇させることで、流出通路に近い吸気ポート周りに冷媒が留まり易くなるため、当該吸気ポートで暖機性が悪化するのを抑制することができる。従って、当該吸気ポートで暖機性が悪化して二つの吸気ポート間で暖機性にばらつきが生じるのを抑制し、上記吸気ポートでの暖機性悪化分だけ蓄熱容器の冷却水をウォータジャケットに流入させることによるエミッション、及び暖機等の改善効果が低下するのを抑制することができる。
【００１８】
請求項５記載の発明では、請求項４記載の発明において、前記流入通路寄りに位置する各気筒のうち、同通路に最も近い気筒よりも前記流出通路寄りの気筒でも、前記供給通路の前記ウォータジャケット内への冷媒の流出位置を、前記流入通路から遠い吸気ポート側に偏奇させ、前記流出通路寄りに位置する各気筒のうち、同通路に最も近い気筒よりも前記流入通路寄りの気筒でも、前記供給通路の前記ウォータジャケット内の冷媒の流出位置を、前記流出通路から遠い吸気ポート側に偏奇させた。
【００１９】
流入通路寄りに位置する各気筒のうち、同通路に最も近い気筒よりも前記流出通路寄りの気筒においても、流入通路に最も近い気筒と同じく流入通路に近い吸気ポートについては、流入通路から遠い吸気ポートに比べて当該気筒に対応する供給通路からウォータジャケット内に流入する冷媒が留まりにくくなる。しかし、上記供給通路のウォータジャケットへの冷媒の流出位置を流入通路から遠い吸気ポート側に偏奇させることで、流入通路に近い吸気ポート周りに冷媒が留まり易くなるため、当該吸気ポートで暖機性が悪化するのを抑制することができる。また、流出通路寄りに位置する各気筒のうち、同通路に最も近い気筒よりも前記流入通路寄りの気筒においても、流出通路に最も近い気筒と同じく流出通路に近い吸気ポートについては、流出通路から遠い吸気ポートに比べて当該気筒に対応する供給通路からウォータジャケット内に流入する冷媒が留まりにくくなる。しかし、上記供給通路のウォータジャケットへの冷媒の流出位置を流出通路から遠い吸気ポート側に偏奇させることで、流出通路に近い吸気ポート周りに冷媒が留まり易くなるため、当該吸気ポートで暖機性が悪化するのを抑制することができる。
【００２０】
請求項６記載の発明では、請求項５記載の発明において、前記流入通路寄りに位置する各気筒のうち、同通路に最も近い気筒よりも前記流出通路寄りの気筒での前記供給通路の流出位置の偏奇を、前記流入通路に最も近い気筒での前記供給通路の流出位置の偏奇よりも小さくし、前記流出通路寄りに位置する各気筒のうち、同通路に最も近い気筒よりも前記流入通路寄りの気筒での前記供給通路の流出位置の偏奇を、前記流出通路に最も近い気筒での前記供給通路の流出位置の偏奇よりも小さくした。
【００２１】
流入通路寄りに位置する各気筒のうち、同通路に最も近い気筒よりも流出通路寄りの気筒については、流入通路に最も近い気筒よりはウォータジャケット内に流入した冷媒が流入通路側に流れ難くなる。このことを考慮して、流入通路に最も近い気筒よりも流出通路寄りの気筒については、流入通路に最も近い気筒に比べて、供給通路のウォータジャケットへの冷媒の流出位置の偏奇が小さくされている。従って、流入通路に最も近い気筒よりも流出通路寄りの気筒において、流入通路寄りの吸気ポートで暖機性悪化を的確に抑制しつつ、上記流出位置の偏奇が過剰に行われるのを抑制することができる。また、流出通路寄りに位置する各気筒のうち、同通路に最も近い気筒よりも流入通路寄りの気筒については、流出通路に最も近い気筒よりはウォータジャケット内に流入した冷媒が流出通路側に流れ難くなる。このことを考慮して、流出通路に最も近い気筒よりも流入通路寄りの気筒については、流出通路に最も近い気筒に比べて、供給通路のウォータジャケットへの冷媒の流出位置の偏奇が小さくされている。従って、流出通路に最も近い気筒よりも流入通路寄りの気筒において、流入通路寄りの吸気ポートでの暖機性悪化を的確に抑制しつつ、上記流出位置の偏奇が過剰に行われるのを抑制することができる。
【発明を実施するための最良の形態】
【００２２】
以下、本発明をＶ型八気筒の自動車用エンジンの冷却装置に具体化した一実施形態を図１〜図７に従って説明する。
図１に示されるエンジン１においては、一方のバンク１ａに一番気筒＃１、三番気筒＃３、五番気筒＃５、及び七番気筒＃７が一列となるように設けられ、他方のバンク１ｂに二番気筒＃２、四番気筒＃４、六番気筒＃６、及び八番気筒＃８が一列となるように設けられている。これらバンク１ａ，１ｂは、エンジン１の冷却装置の冷却回路Ｒを循環する冷却水によって冷却されるようになっている。なお、バンク１ａとバンク１ｂとは同一の構成となっているため、以下ではバンク１ａについて詳しく説明する。
【００２３】
冷却回路Ｒには、エンジン１により駆動されるウォータポンプ６と、ウォータポンプ６から吐出された冷却水をバンク１ａのウォータジャケット５における気筒配列方向一方側（図中右側）から流入させる流入通路７と、ウォータジャケット５内の冷却水を気筒配列方向他方側（図中左側）から流出させる流出通路８とが設けられている。更に、冷却回路Ｒには、循環する冷却水を外気との熱交換により温度低下させるラジエータ１２と、ラジエータ１２を迂回するバイパス通路９と、冷却水の温度に応じてラジエータ１２への冷却水の流入を禁止・許可するサーモスタット１０とが設けられている。
【００２４】
そして、冷却回路Ｒを循環する冷却水は、矢印Ａで示されるように流入通路７を介してウォータジャケット５に流入し、ウォータジャケット５内を気筒配列方向（図中右から左）に流れて各気筒から熱を奪った後、流出通路８からウォータジャケット５外に流出するようになる。
【００２５】
エンジン１の冷却装置には、冷却回路Ｒ内の高温の冷却水を次回のエンジン始動の際のエンジン１の暖機等に利用するための蓄熱回路Ｈが設けられている。この蓄熱回路Ｈには、同回路Ｈ内の冷却水の圧送を行う電動ポンプ１３と、冷却水を保温して蓄える蓄熱容器１４と、蓄熱容器１４内の冷却水をウォータジャケット５に向けて送り出す分配通路１６とが設けられている。分配通路１６には各気筒毎に設けられた供給通路１５が接続されており、それら供給通路１５により分配通路１６とウォータジャケット５の各気筒に対応する部分とが連通している。
【００２６】
そして、冷却回路Ｒ内の冷却水の温度が高いときには、その冷却水が電動ポンプ１３の駆動により蓄熱回路Ｈに引き込まれて蓄熱容器１４内に保温した状態で蓄えられる。蓄熱容器１４に蓄えられた冷却水は、例えばエンジン始動に際して電動ポンプ１３の駆動により分配通路１６に流されて各供給通路１５に分配され、それら供給通路１５を介してウォータジャケット５に流入させられる。そして、ウォータジャケット５に流入した温かい冷却水は、バンク１ａの各気筒に対応する部分との間の熱交換によって当該部分を暖め、その後に冷却回路Ｒの流入通路７及び流出通路８からウォータジャケット５外に流出するようになる。
【００２７】
ここで、供給通路１５からウォータジャケット５内への冷却水の流出位置について図２及び図３を参照して説明する。
図２は、バンク１ａにおけるシリンダヘッド２の拡大断面図である。シリンダヘッド２においては、エンジン１の燃焼室２１に繋がる吸気通路２２及び排気通路２３が設けられるとともに、燃焼室２１、吸気通路２２、及び排気通路２３の周りにウォータジャケット５が入り組むように形成されている。なお、上記吸気通路２２は二つに分岐して燃焼室２１に接続されるものであって（図には一方の分岐部分のみ図示）、吸気通路２２の分岐していない部分には燃料噴射弁２４が設けられている。この燃料噴射弁２４は、燃焼室２１において上記のように分岐した吸気通路２２との接続部分である複数（二つ）の吸気ポート２２ａ，２２ｂに向けて燃料を噴射するようになっている。
【００２８】
供給通路１５のウォータジャケット５内への冷却水の流出位置は、吸気ポート２２ａ，２２ｂの近傍に設定されている。このような設定を行うことで、蓄熱容器１４内の温かい冷却水を各供給通路１５を介してウォータジャケット５の各気筒に対応した部分に流入させるとき、流入した冷却水が最初にシリンダヘッド２における吸気ポート２２ａ，２２ｂ付近に接触することから、吸気ポート２２ａ，２２ｂの壁面を効果的に暖めることができるようになる。従って、燃料噴射弁２４からの噴射燃料が吸気ポート２２ａ，２２ｂの壁面に付着したとしても、その燃料が気化し易くなり、当該壁面への液状燃料の付着に起因するエミッション、燃費、及び始動性への悪影響を抑制することができる。
【００２９】
なお、エミッション、燃費、及び始動性の改善を図る上では、各気筒毎の二つの吸気ポート２２ａ，２２ｂを均等に暖めることが好ましい。このため、供給通路１５のウォータジャケット５内への冷却水の流出位置は、吸気ポート２２ａ，２２ｂの壁面を上記冷却水によって均等に暖め易いよう、図３に示されるように吸気ポート２２ａ，２２ｂ間に位置するように設定される。
【００３０】
ただし、流出通路８に最も近い一番気筒＃１では、供給通路１５を介してウォータジャケット５に流入する冷却水が流出通路８から外部に流出し易くなる。このため、一番気筒＃１では流出通路８寄りの吸気ポート２２ａ周りに上記冷却水が留まりにくくなり、当該吸気ポート２２ａの暖機性が流出通路８から遠い吸気ポート２２ｂよりも悪化する傾向がある。また、流入通路７に最も近い七番気筒＃７では、供給通路１５を介してウォータジャケット５に流入する冷却水が流入通路７から外部に流出し易くなる。このため、七番気筒＃７では流入通路７寄りの吸気ポート２２ｂ周りに上記冷却水が留まりにくくなり、当該吸気ポート２２ｂの暖機性が流入通路７から遠い吸気ポート２２ａよりも悪化する傾向がある。
【００３１】
以上のような一番気筒＃１での吸気ポート２２ａの暖機性の悪化、及び七番気筒＃７での暖機性の悪化については、それら気筒における供給通路１５のウォータジャケット５内への冷却水の流出位置の設定によって抑制される。以下、上記流出位置の設定について、一番気筒＃１の場合と七番気筒＃７の場合とで個別に説明する。
【００３２】
［一番気筒＃１］
一番気筒＃１では、吸気ポート２２ａの暖機性の悪化を抑制すべく、上記流出位置が流出通路８から遠い吸気ポート２２ｂ側に偏奇させられる。言い換えれば、上記流出位置が一番気筒＃１のシリンダボアの中心Ｃ１に対し流出通路８から離れる方向に所定量ａ１だけずれた位置とされる。このように上記流出位置を設定することで、一番気筒＃１において供給通路１５からウォータジャケット５に入った冷却水が吸気ポート２２ａ周りに留まり易くなるため、吸気ポート２２ａで暖機性が悪化して二つの吸気ポート２２ａ，２２ｂ間に暖機性のばらつきが生じるのを抑制することができる。そして、吸気ポート２２ａ，２２ｂ間での上記暖機性のばらつきが生じたとき、吸気ポート２２ａでの暖機悪化分だけ、蓄熱容器１４からウォータジャケット５への冷却水の流入によるエミッション、燃費、及び始動性等の改善効果が低下するのを抑制することができる。
【００３３】
ここで、蓄熱容器１４からウォータジャケット５に冷却水を流入させたときの一番気筒＃１での二つの吸気ポート２２ａ，２２ｂの壁面の温度変化について、上記流出位置の設定（以下、オフセット設定という）を行った場合と、同設定を行わない場合（非オフセット設定）とでどのような違いがみられるかを図４及び図５に基づいて詳しく説明する。なお、上記非オフセット設定の例として、ここでは各気筒全てにおいて上記流出位置を二つの吸気ポート２２ａ，２２ｂの中間位置とした状態をあげることとする。
【００３４】
非オフセット設定では、ウォータジャケット５への冷却水の流入が行われると、一番気筒＃１における吸気ポート２２ａの壁面の温度は図４に実線で示されるように上昇し、吸気ポート２２ｂの壁面の温度は破線で示されるように上昇する。同図からわかるように、流出通路８から遠い吸気ポート２２ｂの壁面の温度は、当該壁面に燃料噴射弁２４からの噴射燃料が付着したときに同燃料を気化可能な最低限の温度である目標値に達するのに対し、流出通路８寄りの吸気ポート２２ａの壁面の温度は目標値に達しなくなる。これは、吸気ポート２２ａは流出通路８に近いことから、供給通路１５からウォータジャケット５に流入した冷却水が流入後すぐに流出通路８から外部に流出してしまい、吸気ポート２２ａ周りに留まりにくくなって、冷却水と吸気ポート２２ａの壁面との間で十分な熱交換が行われないためである。
【００３５】
これに対し、オフセット設定では、ウォータジャケット５への冷却水の流入が行われると、一番気筒＃１における吸気ポート２２ａの壁面の温度は図５に実線で示されるように上昇し、吸気ポート２２ｂの壁面の温度は破線で示されるように上昇する。この場合、流出通路８から遠い吸気ポート２２ｂの壁面の温度が目標値に達するのは勿論のこと、流出通路８寄りの吸気ポート２２ａの壁面の温度も目標値に達することとなる。これは、供給通路１５のウォータジャケット５内への冷却水の流出位置が吸気ポート２２ｂ側に偏奇しており、この偏奇によって供給通路１５からウォータジャケット５に流入した冷却水が吸気ポート２２ａ周りに留まり易くなって、冷却水と吸気ポート２２ａの壁面との間で十分な熱交換が行われるためである。
【００３６】
［七番気筒＃７］
七番気筒＃７では、吸気ポート２２ｂの暖機性の悪化を抑制すべく、上記流出位置が流入通路７から遠い吸気ポート２２ａ側に偏奇させられる。言い換えれば、上記流出位置が七番気筒＃７のシリンダボアの中心Ｃ７から所定量ａ７だけずれた位置とされる。このように上記流出位置を設定することで、七番気筒＃７において供給通路１５からウォータジャケット５に入った冷却水が吸気ポート２２ｂ周りに留まり易くなるため、吸気ポート２２ｂで暖機性が悪化して二つの吸気ポート２２ａ，２２ｂ間に暖機性のばらつきが生じるのを抑制することができる。そして、吸気ポート２２ａ，２２ｂ間で上記暖機性のばらつきが生じたとき、吸気ポート２２ｂでの暖機悪化分だけ、蓄熱容器１４からウォータジャケット５への冷却水の流入によるエミッション、燃費、及び始動性等の改善効果が低下するのを抑制することができる。
【００３７】
ここで、蓄熱容器１４からウォータジャケット５に冷却水を流入させたときの七番気筒＃７での二つの吸気ポート２２ａ，２２ｂの壁面の温度変化について、上記流出位置の設定（オフセット設定）を行った場合と、同設定を行わない場合（非オフセット設定）とでどのような違いがみられるかを図６及び図７に基づいて詳しく説明する。なお、ここでの非オフセット設定についても、［一番気筒＃１］の場合と同様に、各気筒全てにおいて上記流出位置を二つの吸気ポート２２ａ，２２ｂの中間位置とした状態を例としてあげている。
【００３８】
非オフセット設定では、ウォータジャケット５への冷却水の流入が行われると、七番気筒＃７における吸気ポート２２ａの壁面の温度は図６に実線で示されるように上昇し、吸気ポート２２ｂの壁面の温度は破線で示されるように上昇する。同図からわかるように、流入通路７から遠い吸気ポート２２ａの壁面の温度は上記目標値に達するのに対し、流入通路７寄りの吸気ポート２２ｂの壁面の温度は目標値に達しなくなる。これは、吸気ポート２２ｂは流入通路７に近いことから、供給通路１５からウォータジャケット５に流入した冷却水が流入後すぐに流入通路７から外部に流出してしまい、吸気ポート２２ｂ周りに留まりにくくなって、冷却水と吸気ポート２２ｂの壁面との間で十分な熱交換が行われないためである。
【００３９】
これに対し、オフセット設定では、ウォータジャケット５への冷却水の流入が行われると、七番気筒＃７における吸気ポート２２ｂの壁面の温度は図７に破線で示されるように上昇し、吸気ポート２２ａの壁面の温度は実線で示されるように上昇する。この場合、流入通路７から遠い吸気ポート２２ａの壁面の温度が目標値に達するのは勿論のこと、流入通路７寄りの吸気ポート２２ｂの壁面の温度も目標値に達することとなる。これは、供給通路１５のウォータジャケット５内への冷却水の流出位置が吸気ポート２２ａ側に偏奇しており、この偏奇によって供給通路１５からウォータジャケット５に流入した冷却水が吸気ポート２２ｂ周りに留まり易くくなって、冷却水と吸気ポート２２ｂの壁面との間で十分な熱交換が行われるためである。
【００４０】
ところで、流出通路８寄りに位置する一番気筒＃１及び三番気筒＃３のうち、一番気筒＃１については流出通路８寄りの吸気ポート２２ａ周りに冷却水が留まりにくくなる傾向があることは上述したが、一番気筒＃１よりも流入通路７寄りの三番気筒＃３についても一番気筒＃１と同様の傾向がある。また、流入通路７寄りに位置する五番気筒＃５及び七番気筒＃７のうち、七番気筒＃７については流入通路７寄りの吸気ポート２２ｂ周りに冷却水が留まりにくくなる傾向があることは上述したが、七番気筒＃７よりも流出通路８寄りの五番気筒＃５及びについても七番気筒＃７と同様の傾向がある。
【００４１】
そして、三番気筒＃３での吸気ポート２２ａの暖機性の悪化、及び五番気筒＃５での暖機性の悪化についても、それら気筒における供給通路１５のウォータジャケット５内への冷却水の流出位置の設定によって抑制される。以下、三番気筒＃３及び五番気筒＃５での上記流出位置の設定について、図３を併せ参照しつつ、三番気筒＃３、五番気筒＃５の順で個別に説明する。
【００４２】
［三番気筒＃３］
三番気筒＃３では、吸気ポート２２ａの暖機性の悪化を抑制すべく、上記流出位置が流出通路８から遠い吸気ポート２２ｂ側に偏奇させられる。言い換えれば、上記流出位置が三番気筒＃３のシリンダボアの中心Ｃ３に対し流出通路８から離れる方向に所定量ａ３だけずれた位置とされる。ただし、三番気筒＃３では、供給通路１５からウォータジャケット５に流入した冷却水の流出通路８側に流れ易くなる傾向が一番気筒＃１に比べると小さくなり、上記冷却水が一番気筒＃１よりは流出通路８側に流れにくくなる。このことを考慮して、上記所定量ａ３については、一番気筒＃１の所定量ａ１よりも小さい値に設定される。従って、三番気筒＃３では、上記流出位置の吸気ポート２２ｂ側への偏奇が一番気筒＃１での同様の偏奇に比べて小さくされる。言い換えれば、三番気筒＃３での上記流出位置のシリンダボアの中心Ｃ３に対するずれ量（所定量ａ３）が、一番気筒＃１での同様のずれ量（所定量ａ１）よりも小さくされる。こうした三番気筒＃３での上記流出位置の設定により、同気筒で吸気ポート２２ａの暖機性が悪化するのを抑制することができる。
【００４３】
［五番気筒＃５］
五番気筒＃５では、吸気ポート２２ｂの暖機性の悪化を抑制すべく、上記流出位置が流入通路７から遠い吸気ポート２２ａ側に偏奇させられる。言い換えれば、上記流出位置が五番気筒＃５のシリンダボアの中心Ｃ５に対し流入通路７から離れる方向に所定量ａ５だけずれた位置とされる。ただし、五番気筒＃５では、供給通路１５からウォータジャケット５に流入した冷却水の流入通路７側に流れ易くなる傾向が七番気筒＃７に比べると小さくなり、上記冷却水が七番気筒＃７よりは流入通路７側に流れにくくなる。このことを考慮して、上記所定量ａ５については、七番気筒＃１の所定量ａ７よりも小さい値に設定される。従って、五番気筒＃５では、上記流出位置の吸気ポート２２ａ側への偏奇が七番気筒＃７での同様の偏奇に比べて小さくされる。言い換えれば、五番気筒＃５での上記流出位置のシリンダボアの中心Ｃ５に対するずれ量（所定量ａ５）が、七番気筒＃７での同様のずれ量（所定量ａ７）よりも小さくされる。こうした五番気筒＃５での上記流出位置の設定により、同気筒で吸気ポート２２ｂの暖機性が悪化するのを抑制することができる。
【００４４】
以上詳述した本実施形態によれば、以下に示す効果が得られるようになる。
（１）流出通路８に最も近い一番気筒では、供給通路１５のウォータジャケット５への冷却水の流出位置を流出通路８から遠い吸気ポート２２ｂ側に偏奇させている。このため、一番気筒＃１においては供給通路１５からウォータジャケット５内に入った冷却水が流出通路８に近い吸気ポート２２ａ周りに留まり易くなり、当該吸気ポート２２ａの暖機性が悪化するのを抑制することができる。従って、一番気筒＃１においては、吸気ポート２２ａで暖機性が悪化して二つの吸気ポート２２ａ，２２ｂ間で暖機性にばらつきが生じるのを抑制し、上記吸気ポート２２ａでの暖機性悪化分だけ蓄熱容器１４の冷却水をウォータジャケット５に流入させることによるエミッション、燃費、及び始動性の改善効果が低下するのを抑制することができる。また、流入通路７に最も近い七番気筒＃７では、上記流出位置を流入通路７から遠い吸気ポート２２ａ側に偏奇させている。このため、七番気筒＃７においては供給通路１５からウォータジャケット５内に入った冷却水が流入通路７に近い吸気ポート２２ｂ周りに留まり易くなり、当該吸気ポート２２ｂの暖機性が悪化するのを抑制することができる。従って、七番気筒＃７においては、吸気ポート２２ｂで暖機性が悪化して二つの吸気ポート２２ａ，２２ｂ間で暖機性にばらつきが生じるのを抑制し、上記吸気ポート２２ｂでの暖機性悪化分だけ蓄熱容器１４の冷却水をウォータジャケット５に流入させることによるエミッション、燃費、及び始動性の改善効果が低下するのを抑制することができる。
【００４５】
（２）流出通路８寄りの気筒である三番気筒＃３では、一番気筒＃１と同様に供給通路１５からウォータジャケット５に入った冷却水が流出通路８寄りの吸気ポート２２ａ周りに留まりにくくなる傾向がある。ただし、こうした傾向は一番気筒＃１よりは小さくなる。このため、三番気筒＃３では、上記流出位置が吸気ポート２２ｂ寄りに一番気筒＃１に比べて小さく偏奇させられる。これにより、三番気筒＃３において、流出通路８寄りの吸気ポート２２ａの暖機性悪化を的確に抑制しつつ、上記流出位置の偏奇が過剰に行われるのを抑制することができる。また、流入通路７寄りの気筒である五番気筒＃５では、七番気筒＃７と同様に供給通路１５からウォータジャケット５に入った冷却水が流入通路７寄りの吸気ポート２２ｂ周りに留まりにくくなる傾向がある。ただし、こうした傾向は七番気筒＃７よりは小さくなる。このため、五番気筒＃５では、上記流出位置が吸気ポート２２ａ寄りに七番気筒＃７に比べて小さく偏奇させられる。これにより、五番気筒＃５において、流入通路７寄りの吸気ポート２２ｂの暖機性悪化を的確に抑制しつつ、上記流出位置の偏奇が過剰に行われるのを抑制することができる。
【００４６】
なお、ここまではバンク１ａを対象として詳しく説明したが、バンク１ａと同一の構成となっているバンク１ｂについても、バンク１ａで奏する効果と同様の効果が得られるようになる。
【００４７】
以下、上記実施形態の変形例について記載する。
・三番気筒＃３では、供給通路１５のウォータジャケット５内への冷却水の流出位置のずれ量を所定量ａ３としたが、この所定量ａ３を一番気筒＃１の所定量ａ１と等しくしてもよい。また、五番気筒＃５では、上記流出位置のずれ量を所定量ａ５としたが、この所定量ａ５を七番気筒＃７の所定量ａ７と等しくしてもよい。
【００４８】
・三番気筒＃３及び五番気筒＃５については、供給通路１５のウォータジャケット５内への冷却水の流出位置を必ずしも偏奇させる必要はない。
・一つの気筒につき三つ以上の吸気ポートを備えるエンジンに本発明を適用してもよい。
【００４９】
・直列四気筒やＶ型六気筒などＶ型八気筒以外の形式のエンジンに本発明を適用してもよい。
【図面の簡単な説明】
【００５０】
【図１】本実施形態におけるエンジンの冷却装置全体を示す略図。
【図２】上記エンジンにおけるシリンダヘッドの内部構造を示す拡大断面図。
【図３】各気筒の供給通路におけるウォータジャケット内への冷却水の流出位置を示す略図。
【図４】蓄熱容器からエンジンのウォータジャケットに冷却水を流したとき、一番気筒の吸気ポート壁面の温度がどのように変化するかを示すグラフ。
【図５】蓄熱容器からエンジンのウォータジャケットに冷却水を流したとき、一番気筒の吸気ポート壁面の温度がどのように変化するかを示すグラフ。
【図６】蓄熱容器からエンジンのウォータジャケットに冷却水を流したとき、七番気筒の吸気ポート壁面の温度がどのように変化するかを示すグラフ。
【図７】蓄熱容器からエンジンのウォータジャケットに冷却水を流したとき、七番気筒の吸気ポート壁面の温度がどのように変化するかを示すグラフ。
【符号の説明】
【００５１】
１…エンジン、１ａ，１ｂ…バンク（エンジン本体）、２…シリンダヘッド、５…ウォータジャケット、６…ウォータポンプ、７…流入通路、８…流出通路、９…バイパス通路、１０…サーモスタット、１２…ラジエータ、１３…電動ポンプ、１４…蓄熱容器、１５…供給通路、１６…分配通路、１７…開閉弁、２１…燃焼室、２２…吸気通路、２２ａ，２２ｂ…吸気ポート、２３…排気通路、２４…燃料噴射弁。
【図１】
2005133692.tif 000003
【図２】
2005133692.tif 000004
【図３】
2005133692.tif 000005
【図４】
2005133692.tif 000006
【図５】
2005133692.tif 000007
【図６】
2005133692.tif 000008
【図７】
2005133692.tif 000009